(57)【要約】【課題】補正処理の回数を必要最小限として、効率的に補正用画像データを取得し、高精度な放射線画像を得る。【解決手段】固体検出器に放射線を照射しない状態において、固体検出器の露光領域から未露光画像データＲ０を取得するとともに（ステップＳ８）、非露光領域から非露光画像データｒ０を取得し（ステップＳ９）、次いで、被写体を介して固体検出器に放射線を照射した状態において、前記露光領域から露光画像データＲｎを取得するとともに（ステップＳ１２）、遮蔽板によって放射線が遮蔽された前記非露光領域から非露光画像データｒｎを取得し（ステップＳ１２）、前記露光画像データＲｎを、Ｒｎ−Ｒ０−（ｒｎ−ｒ０）、又は、Ｒｎ−Ｒ０×（ｒｎ／ｒ０）として補正する（ステップＳ１４）。【選択図】図４
2008220583.tif 000002
【特許請求の範囲】
【請求項１】
放射線源から出力された放射線を被写体に照射し、前記被写体を透過した前記放射線を放射線検出器によって検出することで放射線画像の撮像を行う放射線画像撮像装置において、
前記放射線検出器は、前記放射線が照射される露光領域と、前記放射線が照射されない非露光領域とを有し、
前記放射線検出器に対して前記放射線が照射されていない状態において、前記露光領域及び前記非露光領域から未露光画像データＲ０及び非露光画像データｒ０を補正用画像データとして取得する補正用画像データ取得手段と、
前記放射線検出器に対し前記被写体を介して前記放射線を照射した状態において、前記露光領域及び前記非露光領域から露光画像データＲｎ及び非露光画像データｒｎを取得し、前記未露光画像データＲ０を前記非露光画像データｒ０に対する前記非露光画像データｒｎの変動分に従って修正し、修正された前記未露光画像データＲ０に基づいて前記露光画像データＲｎを補正する露光画像データ補正手段と、
を備えることを特徴とする放射線画像撮像装置。
【請求項２】
請求項１記載の装置において、
前記露光画像データ補正手段は、前記未露光画像データＲ０を、前記非露光画像データｒ０の平均値に対する前記非露光画像データｒｎの平均値の変動分に従って修正することを特徴とする放射線画像撮像装置。
【請求項３】
請求項１記載の装置において、
前記補正用画像データ取得手段は、前記未露光画像データＲ０の低周波成分と、複数組の前記未露光画像データＲ０の平均値から得られる高周波成分とで構成される前記補正用画像データを取得することを特徴とする放射線画像撮像装置。
【請求項４】
請求項１記載の装置において、
前記露光画像データ補正手段は、前記露光画像データＲｎを、
Ｒｎ′＝Ｒｎ−Ｒ０−（ｒｎ−ｒ０）
として補正することで露光画像データＲｎ′を算出することを特徴とする放射線画像撮像装置。
【請求項５】
請求項１記載の装置において、
前記露光画像データ補正手段は、前記露光画像データＲｎを、
Ｒｎ′＝Ｒｎ−Ｒ０×（ｒｎ／ｒ０）
として補正することで露光画像データＲｎ′を算出することを特徴とする放射線画像撮像装置。
【請求項６】
放射線源から出力された放射線を被写体に照射し、前記被写体を透過した前記放射線を放射線検出器によって検出することで放射線画像の撮像を行う放射線画像撮像方法において、
前記放射線検出器は、前記放射線が照射される露光領域と、前記放射線が照射されない非露光領域とを有し、
前記放射線検出器に対して前記放射線が照射されていない状態において、前記露光領域及び前記非露光領域から未露光画像データＲ０及び非露光画像データｒ０を補正用画像データとして取得するステップと、
前記放射線検出器に対し前記被写体を介して前記放射線を照射した状態において、前記露光領域及び前記非露光領域から露光画像データＲｎ及び非露光画像データｒｎを取得するステップと、
前記未露光画像データＲ０を前記非露光画像データｒ０に対する前記非露光画像データｒｎの変動分に従って修正し、修正された前記未露光画像データＲ０に基づいて前記露光画像データＲｎを補正するステップと、
からなることを特徴とする放射線画像撮像方法。
【請求項７】
請求項６記載の方法において、
前記未露光画像データＲ０を、前記非露光画像データｒ０の平均値に対する前記非露光画像データｒｎの平均値の変動分に従って修正することを特徴とする放射線画像撮像方法。
【請求項８】
請求項６記載の方法において、
前記未露光画像データＲ０の低周波成分を取得するとともに、複数組の前記未露光画像データＲ０の平均値から高周波成分を取得し、前記低周波成分及び前記高周波成分からなる前記未露光画像データＲ０を生成することを特徴とする放射線画像撮像方法。
【請求項９】
請求項８記載の方法において、
前記高周波成分の取得間隔は、前記低周波成分の取得間隔よりも長く設定することを特徴とする放射線画像撮像方法。
【請求項１０】
請求項６記載の方法において、
前記露光画像データＲｎを、
Ｒｎ′＝Ｒｎ−Ｒ０−（ｒｎ−ｒ０）
として補正することで露光画像データＲｎ′を算出することを特徴とする放射線画像撮像方法。
【請求項１１】
請求項６記載の方法において、
前記露光画像データＲｎを、
Ｒｎ′＝Ｒｎ−Ｒ０×（ｒｎ／ｒ０）
として補正することで露光画像データＲｎ′を算出することを特徴とする放射線画像撮像方法。
【発明の詳細な説明】
【技術分野】
【０００１】
本発明は、放射線源から出力された放射線を被写体に照射し、前記被写体を透過した前記放射線を放射線検出器によって検出することで放射線画像の撮像を行う放射線画像撮像装置及び撮像方法に関する。
【背景技術】
【０００２】
医療分野においては、被写体に放射線を照射し、透過した放射線を放射線検出器によって検出することで放射線画像の撮像を行う放射線画像撮像装置が広汎に使用されている。
【０００３】
ここで、放射線検出器としては、例えば、絶縁基板上に行列状に形成された多数の電荷収集電極と、この電荷収集電極上に形成され、照射された放射線に応じた電荷を発生する放射線導電体とを積層してなる固体検出部を有し、放射線導電体で発生した放射線画像に係る電荷を電荷収集電極で集めて蓄電部に一旦蓄積し、その蓄積電荷を電気信号に変換して出力するものが知られている。また、その他の放射線検出器として、電荷結合素子（ＣＣＤ）を用いたもの、アモルファスシリコンとシンチレータとを組み合わせたものも知られている。
【０００４】
ところで、放射線画像撮像装置では、当然に高品質な放射線画像を取得できることが要求されている。しかしながら、使用される放射線検出器は、高感度であるがために、使用環境の温度に対して極めて敏感であり、放射線画像撮像装置の作動中にオフセットデータが変動し、取得した放射線画像に影響が生じてしまう場合がある。また、放射線検出器を構成する固体検出部には、高電圧が印加されており、電圧変動の影響によっても放射線画像が変動するおそれがある。さらには、固体検出部の経時的な感度変化に起因して、オフセットデータが変動する場合もある。
【０００５】
そこで、このようなオフセットデータの変動を補正する方法として、特許文献１に開示された従来技術が提案されている。
【０００６】
この従来技術は、図７に示すように、放射線検出器２のコーナ部分に、放射線源４から出力された放射線Ｘが透過しない鉛等の材料を装着した非露光部６を形成し、露光部８に記録された被写体１０の放射線画像を、非露光部６から取得した基準データと、放射線Ｘを照射しない状態で露光部８から得られた暗画像オフセットデータとを用いて補正するようにしたものである。
【０００７】
この場合、露光部８から得られる放射線画像は、暗画像オフセットデータによって調整されるとともに、温度変化等による変動分が基準データによって補正される。
【０００８】
【特許文献１】特開２００３−５７８号公報
【発明の開示】
【発明が解決しようとする課題】
【０００９】
しかしながら、上記の従来技術では、暗画像オフセットデータを取得する際の装置の状態と、放射線画像を撮像する際の装置の状態とが異なっている場合、暗画像オフセットデータの信頼性が低下するため、高精度な補正を行うことができない。高精度な補正を行うためには、暗画像オフセットデータを取得する時間と放射線画像を撮像する時間との間隔をできるだけ短くしなければならない。この場合、撮像に先だって毎回暗画像オフセットデータを取得すると、撮像処理に支障を来してしまう。
【００１０】
本発明は、前記の課題を解決するためになされたものであり、補正処理の回数を必要最小限として、効率的に補正用画像データを取得し、高精度な放射線画像を得ることのできる放射線画像撮像装置及び撮像方法を提供することを目的とする。
【課題を解決するための手段】
【００１１】
本発明の放射線画像撮像装置は、放射線源から出力された放射線を被写体に照射し、前記被写体を透過した前記放射線を放射線検出器によって検出することで放射線画像の撮像を行う放射線画像撮像装置において、
前記放射線検出器は、前記放射線が照射される露光領域と、前記放射線が照射されない非露光領域とを有し、
前記放射線検出器に対して前記放射線が照射されていない状態において、前記露光領域及び前記非露光領域から未露光画像データＲ０及び非露光画像データｒ０を補正用画像データとして取得する補正用画像データ取得手段と、
前記放射線検出器に対し前記被写体を介して前記放射線を照射した状態において、前記露光領域及び前記非露光領域から露光画像データＲｎ及び非露光画像データｒｎを取得し、前記未露光画像データＲ０を前記非露光画像データｒ０に対する前記非露光画像データｒｎの変動分に従って修正し、修正された前記未露光画像データＲ０に基づいて前記露光画像データＲｎを補正する露光画像データ補正手段と、
を備えることを特徴とする。
【００１２】
また、本発明の放射線画像撮像方法は、放射線源から出力された放射線を被写体に照射し、前記被写体を透過した前記放射線を放射線検出器によって検出することで放射線画像の撮像を行う放射線画像撮像方法において、
前記放射線検出器は、前記放射線が照射される露光領域と、前記放射線が照射されない非露光領域とを有し、
前記放射線検出器に対して前記放射線が照射されていない状態において、前記露光領域及び前記非露光領域から未露光画像データＲ０及び非露光画像データｒ０を補正用画像データとして取得するステップと、
前記放射線検出器に対し前記被写体を介して前記放射線を照射した状態において、前記露光領域及び前記非露光領域から露光画像データＲｎ及び非露光画像データｒｎを取得するステップと、
前記未露光画像データＲ０を前記非露光画像データｒ０に対する前記非露光画像データｒｎの変動分に従って修正し、修正された前記未露光画像データＲ０に基づいて前記露光画像データＲｎを補正するステップと、
からなることを特徴とする。
【発明の効果】
【００１３】
本発明の放射線画像撮像装置及び撮像方法では、補正処理の回数を必要最小限として、効率的に補正用画像データを取得し、且つ、取得した補正用画像データを用いて高精度な放射線画像を得ることができる。
【発明を実施するための最良の形態】
【００１４】
図１は、本発明の放射線画像撮像装置及び撮像方法が適用される実施形態であるマンモグラフィ装置２０の構成図である。
【００１５】
マンモグラフィ装置２０は、立設状態に設置される基台２６と、基台２６の略中央部に配設される旋回軸２８に固定されるアーム部材３０と、被写体３２の撮像部位であるマンモに対して放射線を照射する放射線源２２（図３）を収納し、アーム部材３０の一端部に固定される放射線源収納部３４と、マンモを透過した放射線を検出して放射線画像情報を取得する固体検出器２４（図２、図３）（放射線検出器）を収納し、アーム部材３０の他端部に固定される撮像台３６と、撮像台３６に対してマンモを押圧して保持する押圧板３８とを備える。
【００１６】
放射線源収納部３４及び撮像台３６が固定されたアーム部材３０は、旋回軸２８を中心として矢印Ａ方向に旋回することで、被写体３２のマンモ４４（図２）に対する撮像方向が調整可能に構成される。押圧板３８は、アーム部材３０に連結された状態で放射線源収納部３４及び撮像台３６間に配設されており、矢印Ｂ方向に変位可能に構成される。
【００１７】
また、基台２６には、マンモグラフィ装置２０によって検出された被写体３２の撮像部位、撮像方向等の撮像情報、被写体３２のＩＤ情報等を表示するとともに、必要に応じてこれらの情報を設定可能な表示操作部４０が配設される。
【００１８】
図２は、マンモグラフィ装置２０における撮像台３６の内部構成図であり、撮像台３６及び押圧板３８間に被写体３２の撮像部位であるマンモ４４を配置した状態を示す。なお、参照符号４５は、被写体３２の胸壁を示す。
【００１９】
撮像台３６の内部には、放射線源２２から出力された放射線Ｘに基づいて撮像された放射線画像を電荷情報として蓄積する固体検出器２４と、固体検出器２４に蓄積された電荷情報を読み出すために、固体検出器２４に読取光を照射する読取光源４８と、固体検出器２４に蓄積されている不要電荷を除去するために、固体検出器２４に消去光を照射する消去光源５０とを備える。
【００２０】
固体検出器２４は、直接変換方式且つ光読出方式の放射線固体検出器であって、マンモ４４を透過した放射線Ｘに基づく放射線画像を静電潜像として蓄積し、読取光源４８からの読取光により走査されることで、静電潜像に応じた電流を発生する。
【００２１】
固体検出器２４は、例えば、特開２００４−１５４４０９号公報に開示されたものを用いることができ、具体的には、ガラス基板上に形成され、放射線Ｘを透過する第１導電層と、放射線Ｘが照射されることで電荷を発生する記録用光導電層と、第１導電層に帯電される潜像極性電荷に対して略絶縁体として作用する一方、潜像極性電荷と逆極性の輸送極性電荷に対して略導電体として作用する電荷輸送層と、読取光が照射されることで電荷を発生して導電性を呈する読取用光導電層と、放射線Ｘを透過する第２導電層とを順に積層して構成される。記録用光導電層と電荷輸送層との界面には、蓄電部が形成される。
【００２２】
第１導電層及び第２導電層は、それぞれ電極を構成する。第１導電層の電極は、二次元状の平坦な平板電極とされ、第２導電層の電極は、記録される放射線画像に係る電荷情報を画像信号として検出するための所定の画素ピッチからなる多数の線状電極として構成される。線状電極の配列方向が主走査方向、線状電極の延在する方向が副走査方向に対応する。
【００２３】
固体検出器２４の放射線Ｘが照射される検出面の一部には、放射線源２２から出力された放射線Ｘを遮断する鉛等からなる遮蔽板４２が配設される。遮蔽板４２は、マンモ４４の撮像に支障を来さない部位に配設される。この場合、固体検出器２４の検出領域は、図１に示すように、遮蔽板４２が配設された非露光領域４６と、マンモ４４の放射線画像を撮像する露光領域４７とに分割される。
【００２４】
読取光源４８は、例えば、複数のＬＥＤチップを一列に並べて構成されるライン光源と、ライン光源から出力された読取光を固体検出器２４上に線状に照射させる光学系とを有し、固体検出器２４の第２導電層である線状電極の延在方向と直交する方向にＬＥＤチップが配列されたライン光源を前記線状電極の延在方向（図１の矢印Ｃ方向）に移動させることで固体検出器２４の全面を露光走査する。
【００２５】
消去光源５０は、短時間で発光／消光し、且つ、残光の非常に小さいＬＥＤチップを固体検出器２４と平行な二次元平面に沿って配列して構成される。
【００２６】
図３は、マンモグラフィ装置２０を構成する制御回路のブロック図である。
【００２７】
マンモグラフィ装置２０は、被写体３２に係る被写体情報、放射線画像の撮像条件、撮像方法、後述する補正処理条件の設定等を行うためのコンソール５２と、設定された撮像条件、例えば、管電流、管電圧、ターゲットの種類、放射線Ｘの照射量等に従って放射線源２２を制御する放射線源制御部５４と、固体検出器２４から取得したマンモ４４の放射線画像に係る露光画像データや補正のための画像データに対して画像処理を行う画像処理部５６と、補正のための画像データを用いて補正用画像データを算出する補正用画像データ算出部５８（補正用画像データ取得手段）と、算出された補正用画像データを記憶する補正用画像データ記憶部６０と、補正用画像データを用いて露光画像データを補正する補正処理部６２（露光画像データ補正手段）と、補正された露光画像データを記憶する露光画像データ記憶部６４とを備える。
【００２８】
本実施形態のマンモグラフィ装置２０は、基本的には以上のように構成されるものであり、次に、その動作について説明する。
【００２９】
先ず、マンモグラフィ装置２０のコンソール５２を用いて、被写体３２に係るＩＤ情報、撮像条件、撮像方法等の設定を行う。ＩＤ情報としては、被写体３２の氏名、年齢、性別等の情報があり、被写体３２が所持するＩＤカードから取得することができる。なお、マンモグラフィ装置２０がネットワークに接続されている場合には、上位の装置から取得することも可能である。また、撮像条件としては、被写体３２の撮像部位であるマンモ４４に応じて適切な放射線画像を取得することのできる管電流、管電圧、ターゲットの種類、放射線Ｘの照射量等が設定される。さらに、撮像方法には、医師によって指示された撮像部位、撮像方向等の情報があり、ネットワークに接続された上位の装置から取得し、あるいは、コンソール５２から放射線技師が入力することが可能である。これらの情報は、マンモグラフィ装置２０の表示操作部４０に表示して確認することができる。
【００３０】
次いで、放射線技師は、指定された撮像方法に従ってマンモグラフィ装置２０を所定の状態に設定する。例えば、マンモ４４の撮像方向としては、上部から放射線Ｘを照射して撮像を行う頭尾方向（ＣＣ）撮像、側面から放射線Ｘを照射して撮像を行う側面方向（ＭＬ）撮像、斜め方向から放射線Ｘを照射して撮像を行う内外側斜位（ＭＬＯ）撮像があり、これらの撮像方向に応じてアーム部材３０を旋回軸２８を中心に旋回させる。なお、図１は、頭尾方向（ＣＣ）撮像を行う場合を示す。
【００３１】
次に、マンモグラフィ装置２０に対して被写体３２のマンモ４４を位置決めする。すなわち、マンモ４４を撮像台３６に載置した後、押圧板３８を押し下げ、撮像台３６及び押圧板３８間にマンモ４４を保持させる（図２参照）。
【００３２】
以上の準備作業が完了した後、マンモ４４の撮像を開始する。放射線源制御部５４は、放射線源２２に供給する管電流を制御して放射線Ｘをマンモ４４に照射する。押圧板３８及び撮像台３６間に保持されたマンモ４４を透過した放射線Ｘは、撮像台３６に収納されている固体検出器２４に照射され、放射線画像が電荷情報として露光領域４７（図１）に記録される。
【００３３】
マンモ４４の撮像が終了した後、読取光源４８が固体検出器２４に沿って矢印Ｃ方向（図２）に移動して読取光が照射され、固体検出器２４に記録された放射線画像が露光画像データとして読み出される。読み出された露光画像データは、画像処理部５６で所定の画像処理が施された後、補正処理部６２において後述する補正処理が施され、露光画像データ記憶部６４に記憶される。なお、補正された露光画像データは、コンソール５２に表示されることで、放射線画像を確認することができる。
【００３４】
一方、放射線画像が読み出された固体検出器２４には、次の撮像を行うため、消去光源５０から発せられた消去光が照射され、蓄積されている不要電荷が除去される。
【００３５】
ここで、固体検出器２４は、使用環境の温度変化の影響や、電子回路からのノイズの影響を受け易く、オフセットデータが変動すると、取得した放射線画像に影響が生じてしまう。従って、これらの影響を考慮して、露光画像データを補正する必要がある。
【００３６】
そこで、図４に示すフローチャートに従い、露光画像データに対する補正処理を説明する。
【００３７】
先ず、コンソール５２より補正用画像データの作成指示がなされると（ステップＳ１）、補正用画像データ算出部５８は、補正用画像データの作成処理を開始する。
【００３８】
そこで、固体検出器２４に消去光源５０から消去光を照射して不要電荷を除去した後、補正用画像データ算出部５８は、放射線Ｘを照射しない状態において、固体検出器２４に高電圧を印加するとともに、読取光源４８を矢印Ｃ方向（図１）に移動させて読取光を固体検出器２４に照射することで、固体検出器２４の非露光領域４６及び露光領域４７から補正用画像データを読み出す（ステップＳ２）。なお、読み出される補正用画像データは、マンモグラフィ装置２０の使用環境温度の影響や、電子回路からのノイズの影響によって変動する固体検出器２４のオフセットデータである。以下、非露光領域４６から取得した補正用画像データを非露光画像データ、露光領域４７から取得した補正用画像データを未露光画像データという。
【００３９】
次いで、補正用画像データ算出部５８は、露光領域４７から取得した未露光画像データから低周波成分である低周波未露光画像データＲ０（Ｌ）を抽出する（ステップＳ３）。この場合、低周波未露光画像データＲ０（Ｌ）は、マンモグラフィ装置２０の使用環境温度等に従って短時間で変動する可能性があるため、例えば、マンモグラフィ装置２０の電源を投入したとき、あるいは、放射線画像の撮像を行う直前等のタイミングで取得することが望ましい。
【００４０】
一方、未露光画像データの高周波成分は、固体検出器２４の感度変化や電子回路の特性変化等に起因して変動すると考えられるため、経時的な変動は小さい。従って、低周波成分よりも長い間隔、例えば、一週間に１回等の間隔で取得すればよい。
【００４１】
そこで、コンソール５２より高周波未露光画像データの作成指示がなされると（ステップＳ４）、補正用画像データ算出部５８は、放射線Ｘを照射しない状態において、固体検出器２４の露光領域４７より補正用画像データである未露光画像データを取得する（ステップＳ５）。この場合、未露光画像データの高周波成分は、電子回路のノイズ等の影響を受けて変動することが考えられる。そこで、未露光画像データを固体検出器２４から複数回に渡って取得し、取得した複数組の未露光画像データの平均値を、固体検出器２４の画素毎に算出する（ステップＳ６）。そして、この平均値から、高周波成分である高周波未露光画像データＲ０（Ｈ）を抽出する（ステップＳ７）。
【００４２】
ここで、未露光画像データの取得に際しては、読取光源４８を固体検出器２４に沿って移動させる必要があるため、複数組の未露光画像データの読取処理には、ある程度の時間を要することになる。しかしながら、上述したように、未露光画像データの高周波成分を取得する処理の頻度は、低周波成分を取得する処理の頻度よりも少なく設定することができる。従って、例えば、放射線画像を撮像していない空き時間等を利用して高周波未露光画像データＲ０（Ｈ）の抽出処理を行えば、放射線画像の撮像に対して支障を来すおそれは殆どない。
【００４３】
ステップＳ３で抽出された低周波未露光画像データＲ０（Ｌ）と、ステップＳ７で抽出された高周波未露光画像データＲ０（Ｈ）とを加算することで、未露光画像データＲ０を算出する（図５、ステップＳ８）。また、ステップＳ２で非露光領域４６から取得した非露光画像データの平均値を算出し、これを非露光画像データｒ０とする（図５、ステップＳ９）。これらの未露光画像データＲ０及び非露光画像データｒ０は、補正用画像データ記憶部６０に記憶される（ステップＳ１０）。
【００４４】
次に、マンモ４４を撮像台３６に配置し、放射線源２２から放射線Ｘを出力して放射線画像の撮像を行う（ステップＳ１１）。
【００４５】
画像処理部５６は、マンモ４４の放射線画像に係る露光画像データＲｎを固体検出器２４の露光領域４７より取得するとともに、固体検出器２４の非露光領域４６より非露光画像データを取得してその平均値を非露光画像データｒｎとする（図６、ステップＳ１２）。この場合、固体検出器２４の非露光領域４６には、放射線Ｘを遮断する遮蔽板４２が装着されているため、露光画像データＲｎを取得した時点における放射線Ｘの影響のない固体検出器２４のオフセットデータである非露光画像データｒｎが得られる。
【００４６】
そこで、補正処理部６２では、補正用画像データ記憶部６０に記憶されている未露光画像データＲ０を、未露光画像データＲ０を取得したときの非露光領域４６から得た非露光画像データｒ０に対する、露光画像データＲｎを取得したときの非露光領域４６から得た非露光画像データｒｎの変動分に従って修正する（ステップＳ１３）。
【００４７】
なお、未露光画像データＲ０の修正方式としては、減算方式又は除算方式を採用することができる。減算方式では、未露光画像データＲ０が、
Ｒ０′＝Ｒ０＋（ｒｎ−ｒ０）
として修正されることで、補正用画像データＲ０′が算出され、除算方式では、未露光画像データＲ０が、
Ｒ０′＝Ｒ０×（ｒｎ／ｒ０）
として修正されることで、補正用画像データＲ０′が算出される。
【００４８】
補正処理部６２は、ステップＳ１３で算出された補正用画像データＲ０′を用いて、露光画像データＲｎが、
Ｒｎ′＝Ｒｎ−Ｒ０′
として補正され、補正された露光画像データＲｎ′が得られる（ステップＳ１４）。このようにして補正された露光画像データＲｎ′は、露光画像データ記憶部６４に記憶されるとともに（ステップＳ１５）、必要に応じてコンソール５２に表示され、あるいは、図示しないネットワークを介して医師等の診断に供せられる。
【００４９】
なお、本発明は、上述した実施形態に限定されるものではなく、本発明の主旨を逸脱しない範囲で自由に変更できることは勿論である。例えば、光読出方式の固体検出器２４に代えて、蓄積された放射線画像に係る電荷情報を電気信号として直接読み出す方式からなる放射線検出器にも適用することができる。
【図面の簡単な説明】
【００５０】
【図１】本実施形態のマンモグラフィ装置の構成図である。
【図２】本実施形態のマンモグラフィ装置における撮像台の内部構成図である。
【図３】本実施形態のマンモグラフィ装置を構成する制御回路のブロック図である。
【図４】本実施形態のマンモグラフィ装置における補正処理のフローチャートである。
【図５】放射線が照射されない状態において、放射線検出器から取得される画像データの説明図である。
【図６】放射線が照射された状態において、放射線検出器から取得される画像データの説明図である。
【図７】従来技術に係るオフセットデータの変動補正方法の説明図である。
【符号の説明】
【００５１】
２０…マンモグラフィ装置            ２２…放射線源
２４…固体検出器                    ３２…被写体
４２…遮蔽板                        ４６…非露光領域
４７…露光領域                      ４８…読取光源
５０…消去光源                      ５８…補正用画像データ算出部
６０…補正用画像データ記憶部        ６２…補正処理部
６４…露光画像データ記憶部
【図１】
2008220583.tif 000003
【図２】
2008220583.tif 000004
【図３】
2008220583.tif 000005
【図４】
2008220583.tif 000006
【図５】
2008220583.tif 000007
【図６】
2008220583.tif 000008
【図７】
2008220583.tif 000009